Podtech/llm-jp-corpus-v4-ja_patent huggingface dataset:
(57)【要約】      （修正有）【課題】女性がお手洗いに行く際に持っていく生理用品、化粧品などの用品が収納できるハンドタオルを提供する。【解決手段】ハンドタオル１を袋状にし、ファスナー２を取り付け開閉できるようにし、収納スペースを作る。さらに、折り畳んでポーチのように扱えるよう、内側に化粧品の形状に特化したポケットを取り付ける。見た目はハンドタオルで、タオルの機能を果たしながら、小物が収納でき、ポーチのように扱うことができるタオルとなる。【選択図】図１
2012125268.tif 000002
【特許請求の範囲】
【請求項１】
タオルを袋状にし、小物が入るように表面に図２のようにファスナーを取り付ける。
【請求項２】
裏面に図３のように面ファスナーを付ける。
【請求項３】
タオルの内側に、図７の４（図８の４）のポケット１を付ける。
【請求項４】
タオルの内側に、図７の５（図９の５）のポケット２を付ける。
【請求項５】
タオルの内側に、図７の６（図９の６）のポケット３を付ける。
【請求項６】
タオルの内側に、図７の７（図９の７）の固定ベルトを付ける。
【発明の詳細な説明】
【技術分野】
【０００１】
本発明は、小物が収納できるハンドタオルに関するものである。
【背景技術】
【０００２】
女性がお手洗いに行く際に、生理用品、化粧品などを持って行くことがあるが、人目が気になるので
ハンドタオルの中に挟んで持っていく場合がある。その場合、外から見えたり落としたりすることがある。
また、専用ポーチに入れ持って行く場合でも人目が気になり、ハンドタオルと専用ポーチの両方を持って
行かなければならない。特許文献の特開２００４−２０９１２１は小物を収納できるタオルであるが、
ハンドタオルではなく、化粧品に特化したポケットがないため、今回の用途としては不便である。
【先行技術文献】
【特許文献】
【０００３】
【特許文献１】特開２００４−２０９１２１号公報
【発明の概要】
【発明が解決しようとする課題】
【０００４】
女性がお手洗いに行く際に持っていく生理用品、化粧直しに使う化粧品などは、他の人の目が気になり
非常に持って行きにくいものである。そこで、そのような用品が収納できるハンドタオルを提供する。
ハンドタオルとは別に専用ポーチなどに入れ持ち運ぶこともできるが、それでも人目を気にする女性は
少なくはない。ハンドタオルの中に収納することにより、見た目はハンドタオルなので人目を気にせず、
自然に持ち運ぶことが可能になる。
また、別の用途でも、貴重品、携帯など、一つにまとめて、持って行くことができるハンドタオルを提供する。
【課題を解決するための手段】
【０００５】
ハンドタオルを袋状にし、ファスナーを取り付け開閉できるようにし、収納スペースを作る。さらに、折り畳んで
ポーチのように扱えるよう、内側に化粧品の形状に特化したポケットを取り付ける。見た目はハンドタオルで、
タオルの機能を果たしながら、小物が収納でき、ポーチのように扱うことができるタオルとなる。
【発明の効果】
【０００６】
本発明のハンドタオルを使用することによって、女性がお手洗い行く際に持っていく生理用品、化粧品などを
人目を気にせず、自然に持ち運ぶことができ、かつ1つにまとめて持ち運ぶことが可能になる。
【図面の簡単な説明】
【０００７】
【図１】本発明の表側の平面図
【図２】本発明の表側のファスナーカバーを開いた時の平面図
【図３】本発明の裏側の平面図
【図４】本発明のファスナーを開いたときの表側の平面図
【図５】本発明を折り畳みポーチのように扱う時の過程1（表面のファスナーを軸に半分に折りたたむ）
【図６】本発明を折り畳みポーチのように扱う時の過程2（裏面の面ファスナーを合わせ固定する）
【図７】本発明をポーチのように扱う場合のファスナーを開いた時の斜視図
【図８】本発明の図７の内側Ａ面
【図９】本発明の図７の内側Ｂ面
【発明を実施するための形態】
【０００８】
ハンドタオルをに袋状に縫合し、図２のように真ん中に開閉ファスナーを取り付け、ファスナーを開いた時に
図４のようになるように小物が入る収納スペースを作る。この時、表面のファスナーを表から見えなくするため、
図１のように表面のタオルの上部を長めにし、ファスナーの上を覆うようカバーを付ける。
【０００９】
図２の表面のファスナーを軸に、ファスナーが表になるよう図５、図６のように半分に折り畳み、ポーチのように
扱うことができるようにする。
【００１０】
化粧品などの小物を入れやすくするため、ポーチ状になった袋の内側である図７のＡ面に、図８のファスナーで
開閉できる４のポケット(ポケット１)を取り付ける。
【００１１】
もう一方の袋の図７のＢ面の内側に、面ファスナーで開閉できる図９の５のポケット(ポケット２)を取り付け、
ペンタイプの化粧品を収納しやすくするために図９の６のポケット(ポケット３)と図９の７の固定ベルトを取り付ける。
【００１２】
折り畳み時に固定ができるように裏面に図３の３の面ファスナーを付ける。
【符号の説明】
【００１３】
１  タオル
２  ファスナー
３  面ファスナー
４  ポケット１
５  ポケット２
６  ポケット３
７  固定ベルト
【図１】
2012125268.tif 000003
【図２】
2012125268.tif 000004
【図３】
2012125268.tif 000005
【図４】
2012125268.tif 000006
【図５】
2012125268.tif 000007
【図６】
2012125268.tif 000008
【図７】
2012125268.tif 000009
【図８】
2012125268.tif 000010
【図９】
2012125268.tif 000011
(57)【要約】      （修正有）【課題】体に有用な硫化アミノ酸が含まれている玉葱を分解させずに、簡単で容易に多量摂取出来る方法を提供する。【解決手段】玉葱１を粉砕して、搾汁器で絞って、その液３を８５℃に加温した後、その液に寒天、ゼラチンのゲル状物を生成する物４を加えて、ゲル状の玉葱エキス５とした。又玉葱１を粉砕して、搾汁器で絞って、その液３を６５℃に加温し、その液に寒天、ゼラチンのゲル状物４を加えて、両者の混合物を粉砕し、６５℃に保温後、冷却して、ゲル状の玉葱エキス５として、食べるようにした。【選択図】図１
2012125231.tif 000002
【特許請求の範囲】
【請求項１】
玉葱を粉砕して、搾汁器で絞った液を６０℃〜９５℃に加熱した液に、液の重量の      
０．００５％〜３０％の寒天、ゼラチンのゲル状物を生成する物質を、単独又は複数加え
てゲル状とした玉葱エキス。
【請求項２】
玉葱を粉砕して、搾汁器で絞った液に、寒天、ゼラチンを単独又は複数加えて作った
ゲル状の玉葱エキスの製造において、液の重量に対する寒天、ゼラチンの単独又は複数の
重さの比率を、０．００５％〜３０％とした玉葱エキス。
【発明の詳細な説明】
【技術分野】
【０００１】
この発明は健康を増進する食品の製造方法に関する。
【背景技術】
【０００２】
玉葱エキスが体に良いということは、テレビ番組（たとえば、平成２２年１１月１７日放  映のＮＨＫ「ためしてガッテン“６００万人を救う！謎の不元気症候群”」）での放映で
良く知られている。
【先行技術文献】
【特許文献】
【０００３】
【特許文献１】特開２００２−１７１９３４号公報
【発明の概要】
【発明が解決しようとする課題】
【０００４】
平成２２年１１月ＮＨＫで放映されたのは、玉葱を刻んで仕上がったカレー液に混ぜて
食べるという玉葱の摂取法で、希望するだけの玉葱の量を摂取する事が出来ない。玉葱中
の硫化アミノ酸が体に有効で、この硫化アミノ酸は煮沸すると無効になり、刻んだ物は短時間で硫化アミノ酸を無効にする酵素（低温で分解、失効する。）が働くと言われている。
【０００５】
本発明は、玉葱中の硫化アミノ酸を変化させない簡単な、多量に食べられる玉葱の形状
の製造方法に関するものである。
【課題を解決するための手段】
【０００６】
玉葱を粉砕して、搾汁器で絞った液を８５℃に加熱後、寒天、ゼラチンのゲル状物を生成する物質を混合し、玉葱エキスをゲル状にした。
【発明の効果】
【０００７】
前立腺炎の痛みが起こらなくなった。
【０００８】
前立腺肥大が小さくなった。
【０００９】
膝の痛みが消えた。
【００１０】
腰の痛みが消えた。
【００１１】
体が暖かくなった。
２
【００１２】
不眠症が良くなった。
【００１３】
心臓の脈が平静時２０％少なくなり身体全体の毛細管の血行が良くなったのが分かり、
摂取を止めると２日で元に戻る。
【００１４】
脳がおだやかになる。
【００１５】
尿の不調が良くなる。
【発明を実施するための形態】
【００１６】
表皮を除いた玉葱１ｋｇを粉砕し、搾汁器で絞って７００ｇの液を得、この液を８５℃に
加熱し、寒天１２ｇを混合し１日４回食した。
【図面の簡単な説明】
【００１７】
【図１】玉葱から玉葱エキスを得る工程の概要図
【符号の説明】
【００１８】
１  玉  葱
２  粉砕・搾汁
３  液
４  寒天・ゼラチン
５  玉葱エキス
【図１】
2012125231.tif 000003
(57)【要約】【課題】  お年寄りの方、幼児、歯の具合が悪い方が固形即席めんを所定の調理をし食する時に一口サイズで食べやすいようにＶ切割溝付固形即席めんを提供する。【解決手段】固形即席めんの平面にＶ切割溝を設けＶ切割溝にそって分割し所定の調理をすることにより一口サイズで食することができることを特徴とする。【選択図】図１
2012125226.tif 000002
【特許請求の範囲】
【請求項１】
固形即席めんの平面にＶ切割溝を設けたことを特徴とするＶ切割溝を設けた固形即席めん。
【請求項２】
固形即席めんの平面に縦、横３等分のＶ切割溝を成形したことを特徴とするＶ切溝を設けた固形即席めん。
【請求項３】
固形即席めんの製造方法は製造工程において、めんの半生状態の平面にＶ字型にて切割溝を成形したことを特徴とするＶ切割溝を設けた固形即席めん。
Ｖ字型にて成形する際はめんが切断されることが無いように成形する。
【発明の詳細な説明】
【技術分野】
【０００１】この発明は、固形即席めんの平面にＶ切割溝を設けることで分割しやすくしたＶ切割溝を設けた固形即席めんに関するものである。
【背景技術】
【０００２】従来、固形即席めんは、図２の形状であった。
お年寄りの方、幼児、歯の具合が悪い方が固形即席めんを所定の調理をし、食べるときにめんが長くつながっているため食するに困っていた。
【先行技術文献】
【０００３】
【実用新案１】
実用新案公報  昭４２−５５４号
【発明の概要】
【発明が解決しようとする課題】
【０００４】これは、次のような欠点があった。
お年寄りの方、幼児、歯の具合の悪い方が固形即席めんを所定の調理をし、食しようとしますと、めんが長くつながっているため食べる時に困っております。
本発明は、このような欠点を解決するためのものである。
一口サイズで食することができる。
【課題を解決するための手段】
【０００５】固形即席めんの平面にＶ切割溝を設け、Ｖ切割溝にそって分割し所定の調理をすることで一口サイズで食することができるＶ切割溝を設けた固形即席めん。
【発明を実施するための形態】
【０００６】固形即席めんの平面にＶ切割溝を設ける。
製造工程は乾燥前工程でめんが半生状態の時にめんの平面に縦、横３つ割できるＶ切割溝を成形した後、めんを乾燥することで固形Ｖ切割溝入り即席めん製品ができる。
【発明の効果】
【０００７】一口サイズで食べられることにより、お年寄りの方、幼児、歯の弱い人などにも食べやすすることが出来る。
【図面の簡単な説明】
【０００８】
【図１】  本発明の固形即席めんの平面にＶ切割溝を成形した斜視断面説明図である。
【図２】  従来の固形即席めんの斜視断面説明図である。
【符号の説明】
【０００９】１  縦、横にＶ切割溝を成形
２  Ｖ切割溝
【実施例】
【００１０】固形即席めんをＶ切割溝にそって縦、横９ケに分割し所定の調理をすることで一口サイズで食べられる。
【図１】
2012125226.tif 000003
【図２】
2012125226.tif 000004
(57)【要約】【課題】日本伝統の発酵食品である酒粕を、パンの中に取り入れたかったが、仕込み水にふやかして入れる仕込み方法しかなかった。又、仕込み水にふやかして入れる酒粕の分量にも問題がありました。【解決手段】１度目に入れられる酒粕の分量は１２％までで、それ以上入れるとグルテン形成ができにくく、ボリューム・張り・艶・こしのある商品化できるパンは出来難い。そこで、酒粕を２段階で入れ込むことにより、各１５％まで入れても、ボリューム・張り・艶・こしのある、風味豊かな酒粕パンができました。１度目に入れる酒粕の分量が対粉１０〜１５％の時は、仕込み水の量を５％〜１０％削減し、又、２度目に入れる酒粕は、仕込み水にふやかすのではなく、板状の酒粕を１センチメートル角程度にカットしたものです。そのことにより、全体での酒粕の投入量が３０％程度まで、飛躍的に増やせました。【選択図】なし【特許請求の範囲】
【請求項１】
酒粕の投入するタイミングを２回に分け，１度目は仕込み水にふやかせて入れることと、２度目は、板状の酒粕を１センチメートル角に切った酒粕を、生地が出来上がる直前に入れる方法です。
【請求項２】
２回に分ける酒粕の分量；
１度目：対粉１０％〜１５％まで
２度目：対粉１５％まで
【発明の詳細な説明】
【技術分野】
【０００１】本発明は、酒粕をパン生地に練り込む技術に関する。
【背景技術】
【０００２】従来のパン技術では、酒粕がパン生地に入る量に限界がありました。（対粉１２％程度迄）
【先行技術文献】
【特許文献】
【０００３】
【特許文献１】  特許公開２００７−０６８４８８
【特許文献２】  特許公開２００６−１０９７９６
【非特許文献】
【０００４】
【非特許文献１】ｈｔｔｐ：／／ｄｅｔａｉｌ．ｃｈｉｅｂｕｋｕｒｏ．ｙａｈｏｏ．ｃｏ．ｊｐ／ｑａ／ｑｕｅｓｔｉｏｎ＿ｄｅｔａｉｌ／ｑ１１２９０１２４９１？ｆｒ＝ｃｈｉｅ−ｗｅｂｓｅａｒ．．．
【発明の概要】
【発明が解決しようとする課題】
【０００５】従来のパン技術では、仕込み水に入れてふやかしておいた酒粕を対粉１２％までしか入れられなかった。１３％以上入れるとパン生地のグルテン形成ができにくくなり、ボリューム・張り・艶・こしが出ないパンしかできないものであった。これを対粉１３％〜３０％にまで酒粕が入る生地を創りたかった。
【課題を解決するための手段】
【０００６】そして、本発明は上記目的を達成するために、仕込み水に入れてふやかす酒粕（対粉１５％まで）と、パン生地がほぼ出来上がった状態のときに、投入する酒粕（対粉１５％まで）に分けました。パン生地がほぼ出来上がった状態のときに投入する酒粕は、板状酒粕を１センチメートル角の大きさに切ったものを使用する。
又、１度目に入れる、仕込み水に入れてふやかす酒粕の分量で、対粉１０〜１５％の分量を入れる時は、仕込み水の分量を５〜１０％削減する。
【発明の効果】
【０００７】上記課題解決手段による作用は次のとうりである。すなわち、酒粕の入れるタイミングを２回に分けることにより、グルテン形成があり、それによって、ボリューム・張り・艶・こしのある、風味豊かなパンに創ることができました。
又、１度目に入れる、仕込み水に入れてふやかす酒粕の分量が、対粉１０〜１５％の時、仕込み水の分量を５〜１０％削減することによって、ボリューム・張り・艶・こしのある、風味豊かなパンに創ることができました。
(57)【要約】【課題】無線操縦式草刈払機装置は、制御装置・連結システム構造の伝導駆動機を決定とした一連機能が維持でき、多様な作業形態を迅速に行うことが可能なことから作業性・能率性・効率性・生産性の向上を提供する。【解決手段】トラブルによる作動停止や危険極まりない作業条件を安心・安全しかも、一人の集中操作で省力化を図り、無線操縦作業による、作業性・能率性・効率性・生産性の向上が得られる。【選択図】なし【特許請求の範囲】
【請求項１】
エンジン駆動のキャタピラ―を有し、所定位置に配置のクラッチ・ブレ―キを有し、動力回転駆動のメイ―ンカッタ―を有し、両側端に諸刃のサブカッタ―を有した駆動装置と発電機に、送信・受信対応する操作駆動手段を備えた無線操縦式草刈払機装置を特徴とする。
【請求項２】
上記構造の無線装置は、無線操縦制御盤・無線操縦受令機からの出力に基づく無線操縦式草刈払機装置を特徴とする。
【請求項３】
上記構造の草刈払機の処理能力は、３０ａ／ｈｏｕｒを特徴とする。
【請求項４】
転倒防止装置を備え、傾斜面地を等高線に沿って走行処理を可能とする無線操縦式草刈払機装置を特徴とする。
【請求項５】
無線操縦式草払機構造の趣旨を逸脱しない範囲の変更は本発明に含まれる。
【発明の詳細な説明】
【技術分野】
【０００１】本発明は、傾斜面地の草を刈り取るのに適した無線操縦式草刈払機装置に関するものである。
【背景技術】
【０００２】従来、草刈払作業は手作業が大半を示しており、作業の能率面・危険な箇所での事故防止面から無線操縦式草刈払機が望まれていた。
【発明の開示】
【発明が解決しようとする課題】
【０００３】本発明は、上述の無線方式において、多様な作業形態がとれる草刈払制御装置を製造し、作業性・能率性・効率性・生産性向上を図る。【０００４】上記構造成形は、事故防止・安心・安全な無線操縦装置の駆動手段で迅速な処理ができる。
【問題を解決するための手段】
【０００５】この発明は、無線制御装置の伝導駆動システムに連結機構を搭載し、構成されていることを特徴とする。
【０００６】上記重力を支持する駆動設計仕様を配置し、刈払をするパワー供給のバッテリーの搭載編成を特徴とする。
【０００７】上記エネルギー作用はシステム構造によって無線操縦によって制御されることを特徴とする。
【発明の効果】
【０００８】本発明は、上述のように、無線操縦を物理的作用連結システムの伝導駆動構成構造を完成させ、安心・安全に刈払を迅速に作業ができることから作業性・能率性・効率性・生産性の向上が得られる。
【０００９】本発明は、無線による多様な作業形態をとることができ、移動を可能とする機能を備えている。しかも、トラブルの発生しないことから草刈払の作業能率は向上することを特徴とする。
【００１０】本発明は、無線操縦作業を可能とし、刈払能力３０ａ／ｈｏｕｒを特徴とする。
【発明を実施するための最良の形態】
【００１１】本発明の草刈払制御装置において、傾斜面地を等高線に沿って走行できる構造を備えている。さらには、伝導駆動システムの構造で連結できる。【００１２】本発明の実施形態は実施済であり、システム構造を決定する一連の機能構造をもつ全体構造を維持する。各機能に連結された実施例であり多くの詳細形態は加えられる構造は、多様の作業形態をとることができる草刈機を提供する。
【産業上の利用可能性】
【００１３】本発明の無線操縦式草刈払機装置は、機能的にロボット対応を可能とした構造のシステム化を提供するものである。よって多様な作業形態をとることが出来、作業性・能率性・効率性・生産の向上が得られる。
(57)【要約】【課題】芝生植地における雑草取りにおいて、芝生を傷めず、芝生植地に生える雑草だけを取ることができる芝生植地雑草取り具を開発すること。【解決手段】雑草を引き抜くとき、雑草取り具の一部の歯のみが雑草にくい込み、途中で切断したり、他の歯が芝生を傷つける事のない様にするため、芝生植地雑草取り具の本体１の刃部がＳ字状となり、そのＳ字状刃部２のＳ字状凸部の外側縁Ｘ−Ｙに複数の鋸歯状凹凸３を、その上端に握り手グリップ４を設けた。【選択図】図１
2012125227.tif 000002
【特許請求の範囲】
【請求項１】
本体の刃部がＳ字状となり、その先端からＳ字状凸部の外側縁に複数の鋸歯状凹凸を設けたことを特徴とする芝生植地雑草取り具。
【発明の詳細な説明】
【０００１】  本発明は芝生植地における雑草取り具に関する。
【背景技術】
【０００２】  従来、芝生植地における雑草取り具には、刃部がくの字状のものがあり、刃部がくの字状の雑草取り具では、くの字状の折れ曲がった側の内側に鋸歯状凹凸を設けている。
【先行技術文献】
【特許文献】
【０００３】
【特許文献１】  特開  ２００７−１３５５０８号  公報
【特許文献２】  特開  平１０−９号  公報
【発明の概要】
【発明が解決しようとする課題】
【０００４】  くの字の折れ曲がった側の内側に鋸歯状凹凸を設けた従来の雑草取り具は、雑草を一部の歯のみに引っ掛けて抜くため、雑草にくい込み途中で切断したり、他の歯が芝生を引っ掛け傷つけていた。【０００５】  以上述べた従来の構造が有していた問題を解決しようとするものであり、雑草を途中で切断したり、芝生を傷つけることなく雑草を取ることを目的とするものである。【０００６】  上記目的を達成するため、本発明の芝生植地雑草取り具は、本体の刃部がＳ字状となり、その先端からＳ字状凸部の外側縁に、複数の鋸歯状凹凸を、又、その上端に握り手グリップを設けたものである。【０００７】  刃部のＳ字状凸部の外側縁に複数の鋸歯状凹凸を設けることにより、一部の歯のみに深くくい込まず、複数の歯が摺接状態で引っ掛かり、雑草を取る事ができる。
【発明の効果】
【０００８】  本発明の芝生植地雑草取り具は、芝生植地での雑草取りにおいて、芝生を傷めることなく、芝生植地に生えている雑草だけを取るとともに、取り難い長い根も途中で切断することなく取る事ができるものである。
【図面の簡単な説明】
【０００９】
【図１】本発明の実施形態を示す斜視図である。
【発明を実施するための形態】
【００１０】  以下、本発明の実施の形態を図１に基づいて説明する。
【００１１】  図１において、芝生植地雑草取り具の本体１は、Ｓ字状刃部２とＳ字状刃部２の上端に設けた握り手グリップ４からなり、そのＳ字状刃部２のＳ字状凸部の外側縁Ｘ−Ｙに複数の鋸歯状凹凸３を設けている。
【００１２】  本説明の芝生植地雑草取り具の使い方を説明する。握り手グリップ４で本体１を持ち、雑草の茎にＳ字状刃部２の側面を近接して斜めに地中に差し込み、Ｓ字状刃部２を雑草に向かってひねると土がのけられるので、Ｓ字状刃部２と雑草の間に空隙が生じ、根が抜けやすい状態になる。地中に差し込んだ時、下に向いていたＳ字状刃部２の鋸歯状凹凸３が雑草に接するようにひねりながら、握り手グリップ４を持ち、本体１を引き上げると、Ｓ字状凸部の外側縁Ｘ−Ｙの複数の鋸歯状凹凸３に雑草が引っかかり摺接状態で引き抜かれる。
【符号の説明】
【００１３】  １    本体
２    Ｓ字状刃部
３    鋸歯状凹凸
４    握り手グリップ
Ｘ−Ｙ  Ｓ字状凸部の外側縁
【図１】
2012125227.tif 000003
(57)【要約】【課題】廃水処理施設から発生する汚泥を処理し有効活用を図る。産業廃棄物埋立場の残余年数も少なくなり、処分場の残余容量を圧迫している。その対応策。廃棄物の再資源化を積極的に行い、調和のとれた用途開発の実施。地場産業の活性化に、秋田県北秋田市から産出される珪藻土粕は品質が良く生産量が多い。秋田県能代市から産出されるゼオライト粕は品質が良く生産量が多い。その活用。脱水処理工程において、産業廃棄物の珪藻土粕・ゼオライト粕・生コンスラッジ・安価なセメント添加の活用をもって有効利用の可能性を図る。【解決手段】本発明は、廃水処理施設から発生する汚泥と産業廃棄物の珪藻土粕・ゼオライト・粕・生コンスラッジ・安価なセメントの添加によって塊成化する処理方法でもって再資源化する。路盤材の製造、安価なセメントの混合によるコンクリ−トの二次製品製造、対象物の混入割合によって、土木建設工事用資材等再生利用が可能となり、汎用性を可能とする。【特許請求の範囲】
【請求項１】
廃水処理施設で発生する汚泥の脱水処理に対して多孔質の産業廃棄物の珪藻土粕・ゼオライト粕・生コンスラッジ・安価なセメントの添加を併用し塊成化することを特徴とする汚泥脱水剤及び汚泥脱水処理方法。
【請求項２】
前記製造工程において配合割合、または組み合わせによって生成することを特徴とする汚泥脱水剤及び汚泥脱水処理方法。
【請求項３】
廃棄物を軽量骨材、コンクリートの二次製品等の再資源化にしたことを特徴とした汚泥脱水剤及び汚泥脱水処理方法。
【請求項４】
前記、請求項１から３において本発明趣旨を逸脱しない範囲の変更は、本発明に含まれる汚泥脱水剤及び汚泥脱水処理方法。
【発明の詳細な説明】
【技術分野】
【０００１】本発明は、廃水処理施設で発生する汚泥を有効活用するための汚泥脱水剤及び汚泥脱水処理に関するものである。
【背景技術】
【０００２】汚泥そのままでの廃棄は、環境問題上好ましくない。産業廃棄物として処分場で処分をされているが、排出量の増大に伴い処分場の残余年数が少なくなっている現状である。【０００３】各種の汚泥処理の研究開発がなされており、含水率の低い脱水ケイキが得られる汚泥脱水剤汚泥脱水処理に対する提案がなされ、実行されている。
【発明の開示】
【発明が解決しようとする課題】
【０００４】本発明は、廃棄物として処分をされている汚泥に産業廃棄物の珪藻土粕・ゼオライト粕・生コンスラッジ・安価なセメントの混合・加工技術をもって再利用し、有用な材料に製造する。することで処分場の残余年数の延長ができ、経済的にも有効技術の適用である。【０００５】汚泥が大量に発生することから、高額の廃棄費用が掛かり、事業体の企業経営に困難をきたしている状態を解決する。【０００６】大量発生する汚泥対策に管理、施工方法が経済的に、実用に困難をきたしている。
この廃棄物の有効活用方法を提供目的とする。
【課題を解決するための手段】
【０００７】セメント利用の多いわが国において、本発明の技術的な新規性、汎用性、派生効果を新たな市場創造の実用に向けて、安定利用ができる体制、整備をすることを特徴とした汚泥の処理が大きく望まれる。【０００８】汚泥の有効利用は、本発明においてその効果とリサイクルシステムの活用を特徴とした。
【発明の効果】
【０００９】本発明は、環境問題、環境保全、再資源の有効利用の意識が高まっている今日において、汚泥の有効利用方法によって、再生セメント、コンクリ−トブロック、再生路盤材、土木建設工事資材、湾岸関連工事の資材等の有効利用を可能とする。しかも、製造工程は特別な技術を要しないのが特徴。【００１０】本発明は、廃棄する汚泥を産業廃棄物の珪藻土粕・ゼオライト粕・生コンスラッジ・安価なセメントを混合加工、製造技術をもって成果を得た。【００１１】したがって、廃棄物の汚泥を著しく低減することが出来る。【００１２】本発明からは、有害物質は発生しない。【００１３】本発明は、ゼロエミッションのスタンスを特徴とする。
【発明を実施するための最良の形態】
【００１４】本発明を実施するには、産業廃棄物の生コンスラッジの受け入れ、リサイクル利用に関して、各県の所管の許可によって可能とする。可能によって生コン産業、産廃業者にとって活性化となる。【００１５】本発明は、無害化混合成形の形態であり、汎用性を有し利用価値を高める。【００１６】本発明の汚泥のリサイクル化は、合理的な成形を特徴とする。【００１７】これまでの廃棄物として、処分していた汚泥を本発明の処理方法によってリサイクルとして再利用することを可能とする。
【産業上の利用可能性】
【００１８】本発明の汚泥脱水剤の製造工程において、混合物の種類の組み合わせ、混合率割合の生成によって、再利用材料として有効利用ができる。【００１９】本発明は、コンクリート二次製品製造としてインターロッキングブロック、歩車道境界、軽量骨材等の製造が可能である。山砂、海砂、砕石バラス等資源の代替資材として再資源化の有効活用ができることを特徴とした。【００２０】本発明は、特別の機材・技術を要しない低コスト製造を特徴とした。【００２１】環境の負荷を考慮した廃棄物の相乗効果の有効利用、処分コストの削減、成形物の安定供給を可能とした。廃棄物の加工をスタンスとし、有るものから無いものをつくる方法、およびその加工物。
(57)【要約】      （修正有）【課題】ビン等容器の形状に関係なく、面内の汚れを隅々まで除去し、清潔な状態にして再利用をするための洗浄ブラシを提供する。【解決手段】ブラシ１の一端に紐状体３を連結する。該紐状体には複数個の弾性体４を取り付ける。そして、容器５内でブラシを回転移動させ、全内面を擦り汚れを除去することを特徴とする容器内洗浄ブラシ。【選択図】図３
2012125753.tif 000002
【特許請求の範囲】
【請求項１】
ブラシの一端と、弾性体を取り付けた紐状体と連結する。そして、全体をビンなど容器内で回転移動させ、内面を擦り汚れを除去することを特徴とする容器洗浄ブラシ。
【発明の詳細な説明】
【技術分野】
【０００１】  本発明は、ビンなど容器を洗浄するとき、該内面の汚れを除去する容器洗浄ブラシに関するものである。
【背景技術】
【０００２】  従来、ビンなど容器の内面の汚れを除去するとき、直線的棒状体の柄付きブラシを該ビン内に挿入し、該柄を持ち手動で汚れを除去し洗浄していた。
【発明の開示】
【発明が解決しようとする課題】
【０００３】  洗浄しようとするビンなど容器の形状により、直線的棒状体の柄付きブラシでは、ブラシが内面で絶対に接触不可能な部分があり、その部分の汚れは残留し、再使用する場合は非常に不潔であった。
本発明は、以上の問題点を解決しようとするものである。
【課題を解決するための手段】
【０００４】  ブラシの一端に、弾性体を取り付けた紐状体を連結する。そして、全体を容器内に投入し内面に接触させ擦り汚れを除去する。以上を特徴とする容器洗浄ブラシである。
【発明の効果】
【０００５】  本発明は、ビン等容器を振動させば、ブラシは中で回転移動し全内面に接触し擦るため、容器の形状に関係なく隅々まで完全に汚れを除去する。
【発明を実施するための最良の形態】
【０００６】  以下、本発明の実施の形態を説明する。
（イ）ブラシ（１）の芯金（２）の一端に紐状体（３）を連結する。
（ロ）紐状体（３）には複数個の弾性体（４）を取り付ける。
本発明は、以上の構成によって成っている。
本発明を使用するときは、上記の洗浄ブラシ全体をビン等容器内に投入し、少量の水、又は、微量の洗剤も入れ開口部を塞ぎ、該ビン等容器（５）を上下左右に振動させ中のブラシ全体を回転移動させば、ブラシ（１）は全内面に接触し擦り汚れを除去する。ブラシ（１）の先端に取り付けた弾性体（４）は芯金（２）と紐状体（３）の連結部（６）を覆い、紐状体（３）の中間部分と先端に取り付けた弾性体（４）は，洗浄中に紐状体（３）がブラシ（１）に絡み付くのを防止する。又、各弾性体（４）は有重体であり、洗浄中ブラシ（１）が水や泡に浮遊するのを防止し回転移動を激しくさせる。そして、ブラシを取り出したいときは、ビン等容器（５）の開口部を下方にして振れば、先端の弾性体（４）は水の流出と共に自体重で速やかに排出され、ブラシ（１）を容易に引き出せる。又、洗浄するビンなど容器の開口部が小径でありブラシ（１）を無理に押入れても、先端の弾性体（４）が出ればブラシ（１）は容易に取り出せる。この結果、ブラシ全体が小形状で紐状体（３）は屈曲自在あるため、収納や輸送に場所を取らず破損する心配は無い。
【図面の簡単な説明】
【０００７】
【図１】本発明の正面図
【図２】本発明の連結部正面図
【図３】本発明のビン断面とブラシ使用図
【符号の説明】
【０００８】  １．ブラシ
２．芯金
３．紐状体
４．弾性体
５．ビン
６．連結部
【図１】
2012125753.tif 000003
【図２】
2012125753.tif 000004
【図３】
2012125753.tif 000005
(57)【要約】【課題】本発明は、クリ−ンル−ムの構造の吸気口から粉塵・集塵の捕獲装置によって、効果的・効率的に塵埃・浮遊菌・化学物質等が除去される。【解決手段】本発明の粉塵・集塵捕獲構成装置は、開塞・閉塞の通連機能を備えたル−ムの急速クリ−ンル−ムを安価で安全・安心が得られる。【選択図】なし【特許請求の範囲】
【請求項１】
クリ−ンル−ムの構造の吸気口から塵埃・集塵を捕集構成される粉塵・集塵装置において部材の脱着可能構成されることを特徴とする粉塵・集塵捕獲装置。
【請求項２】
クリ−ンル−ム内は、全領域の塵埃・浮遊菌・化学物質等の除去を特徴とする請求項１に記載の粉塵・集塵捕獲装置。
【請求項３】
前記粉塵・集塵装置は、開塞・閉塞の連通機能を備えたクリ−ンル−ムの急速クリ−ンを特徴とする粉塵・集塵捕獲装置。
【請求項４】
前記、粉塵・集塵捕獲装置の趣旨を逸脱しない請求項１から４に記載の範囲の変更は本発明に含まれる。
【発明の詳細な説明】
【技術分野】
【０００１】本発明は、ル−ム内の粉塵・集塵除去効果を備えて構成された粉塵・集塵捕獲装置とその製造に関する。
【背景技術】
【０００２】従来のル−ムは、粉塵・集塵に優れた効果は乏しい。粉塵・集塵に含まれる浮遊菌・化学物質等のシックハウス症候群・化学汚染物質からの悪臭の対策等健康配慮が望まれている。【０００３】本発明は、前記の対策として、空気循環効果の環境改善をはかるクリ−ンル−ムが求められている。
【発明の開示】
【発明が解決しようとする課題】
【０００４】本発明は、従来を鑑みて化学物質を含む塵埃・浮遊菌等の除去効果が粉塵・集塵捕獲装置の効果によって、ル−ム内を広範囲・均一に効率的な供給を可能とすることで、好適な室内環境の提供を目的とする。
【課題を解決するための手段】
【０００５】本発明は、ル−ム内の粉塵・集塵を解塞・閉塞の連通機能を備えた粉塵・集塵捕獲装置をもって解決する。有害な化学物質・浮遊菌等の除去は、粉塵・集塵装置の部材脱着可能構成の粉塵・集塵装置を備えて解決する。快適性、健康面に対してのクリ−ンル−ムを提供する。
【発明の効果】
【０００６】本発明の粉塵・集塵捕獲装置は、本体集塵体装置の脱着操作の簡素化を特徴とする。【０００７】ル−ム内の空気流通にクリ−ン効果が得られ、室内全域に塵埃・浮遊菌・化学物質等を除去する。【０００８】本発明の粉塵・集塵捕獲装置は、粉塵・集塵微粒子の組成成形物の捕獲を可能とし、クリ−ンル−ムに適している。【０００８】室内のクリ−ン効果は、急速クリ−ンル−ムを成形することができた。【０００９】上記の機能を安価で備え付け、しかも、作業能率を考慮した。
【発明を実施するための最良の形態】
【００１０】本発明の粉塵・集塵を、送風装置・集塵機材により集塵・モップの付着吸い込み等に効果が発揮される。その結果、実施形態は多目的に活用できることを特徴とする。【００１１】好ましくは、モップ作業が床に接触することで集塵がふき取られ、そして吸い込み口に投入可能ができることを特徴とする。【００１２】上記モップは、長期間耐用ができる。しかも、安価で安全、安心なことを特徴とする。【００１３】本発明は、実施例によって、なんら限定されないことを特徴とする。【００１４】本発明は、集塵・脱臭・抗菌効果に加え、ル−ム空気のリフレッシュ効果がある。
クリンル−ムを含め対応の可能な汎用性を特徴とする。
【産業上の利用可能性】
【００１５】本発明は、ル−ム内の全領域粉塵・集塵・浮遊菌・化学物質等の除去を備え、健康志向手段として有用である。施工性に優れていることから、速く施工ができ作業効率が良い。【００１６】本発明の粉塵・集塵捕獲装置は、一般住宅・精密製造工場・医療品製造工場・食品製造工場・病院・研究室・福祉施設・公共施設・展示場、スポーツ関連設置等に様々な活用ができ、しかも、安価で安心・安全なクリ−ンル−ムを提供し、産業上の利用に貢献できる。
(57)【要約】 【課題】  風呂場にて、洗面器の中の水又はお湯を排出に関して、簡単な軽作業でできる洗面器を提供する。【解決手段】  台1の上に洗面器2を回転部分4により装着する。手すりBにより、洗面器2を上に持上げることができる。又、洗面器2は高さ調整用脚にて高さが調整できる機能を備えた回転式洗面器とする。【選択図】    図１
2012125488.tif 000002
【特許請求の範囲】
【請求項１】
台の上部に洗面器を装着し、回転部分と手すりの操作により洗面器を上に持上げることにより、容易に水又はお湯を排出することができ、洗面器も簡単に台より取り外し床に置いての使用も可能になることを特徴とする回転式洗面器。
【請求項２】
高さ調整用脚により、上下の高さができるようになることを特徴とする回転式洗面器。
【発明の詳細な説明】
【技術分野】
【０００１】
本発明は、風呂場での使用に適される回転式洗面器に関する。
【背景技術】
【０００２】
従来、風呂場にての洗面器の中の水又はお湯の排出においては、両手で洗面器を持上げて回転させるか、洗面器の片方を床につけ洗面器が移動しないよう注意しながら、片手もしくは両手で傾けて行っていた。
【発明の概要】
【発明が解決しようとする課題】
【０００３】
従来、洗面器の中の水又はお湯の排出作業は、洗面器を両手で持上げ回転させるか、洗面器の片方を床につけ洗面器が移動しないよう注意しながら、片手もしくは両手で傾けなければならず、洗面器の中にいっぱいの量をいれると身体的に障害を抱えている人には苦痛を伴う問題を抱えていた。
【０００４】
本発明では、前記の状況を考慮し簡単に操作ができ、安全で軽量な構造とした回転式洗面器を提供することを目的としている。
【課題を解決するための手段】
【０００５】
本発明の回転式洗面器は、台の上部に洗面器を装着し、回転部分により連結させ洗面器の先端部にある手すりを持上げることにより回転ができるようになっている。又回転部分は、脱着ができるようになっていることを特徴とするものである。
【発明の効果】
【０００６】
本発明は、以上に説明したように台、洗面器、台と洗面器を連結する連結部を備えているので、以下に記載するような効果がある。
【０００７】
風呂場にて洗面器の中の水又はお湯を排出することが容易に行える。
【０００８】
洗面器の中の水又はお湯を排出するとき、洗面器の先端部にある手すりを持上げることにより中の水又はお湯を排出することができる。
【０００９】
洗面器と台とは、脱着が可能となっており洗面器を直接、床においても使用ができるようになっている。
【００１０】
上記のように、本発明の回転式洗面器を使用することにより、比較的少ない労力で洗面器の中の水、又はお湯を排出することができる。
【００１１】
この結果、風呂場における洗面器の使用において、肉体的な苦痛の軽減が可能となる。
【図面の簡単な説明】
【００１２】
【図１】本発明の回転式洗面器を示す図である。
【図２】本発明の回転式洗面器の回転した時の図である。
【発明を実施するための形態】
【００１３】
発明の形態を図１及図2により詳細に説明する。本発明の回転式洗面器は、図1に示す例では台1の上部に洗面器2を装着し、台1は高さ調整用脚3に装着されており、洗面器2が回転を行える回転部分4から構成されたものである。
【００１４】
前記の台1は、パイプ等の構造物として組立て回転部分4、洗面器置き台Aを装着したものである。
【００１５】
前記の洗面器2は、一体型として組立て、手すりB,回転支点Cにて回転できるようにしたものである。
【００１６】
前記の高さ調整用脚3は、パイプ等の構造物として上下調整が出来るよう台1に繋ぐ。
【００１７】
以上の各機構を組立てることにより、手すりBの操作により洗面器を、回転させることができ、さらに高さ調整脚により高さを容易にする。又、洗面器が簡単に脱着できることにより床においての使用も容易にする。
【実施例】
【００１８】
以下、水又はお湯の排出手順を説明する。図2は、排出時の図である。回転部分と、手すりにより容易に排出が出来る為、作業負荷が軽減される。
【符号の説明】
【００１９】
１  台
２  洗面器
３  高さ調整用脚
４  回転部分
Ａ  洗面器置き台
Ｂ  手すり
Ｃ  回転支点
【図１】
2012125488.tif 000003
【図２】
2012125488.tif 000004
(57)【要約】【課題】現在は、世界的に通用するアナログ的ゲームは、段々と少なくなっています。特にオセロゲームが出た後は、ヒットゲームは出ておりません。この問題を少し解決できるのではと思い、新アナログ的ゲームとして、ゾンビ（復活）ゲームを考案致しました。【解決手段】本発明は、囲碁及びオセロの器具を参考にして、加工すれば充分に、活用できるゲームの器具ができます。黒白の碁石で、相手の碁石を挟んだ場合は、石を引っくり辺してゾンビに、ゾンビを挟んだ場合は復活します。基本ルールは単純明解です。子供から年寄りまで、複雑な石を引っくり辺すことができます。碁石は低年齢の子供達に、愛着や興味を持たせて、キャラクターを考案加工することもできます。【選択図】図１
2012125533.tif 000002
【特許請求の範囲】
【請求項１】
碁盤は、１３、１１  ９、７路盤を一箱にまとめて、携帯バック型にしたのは、世間にまだ普及されてない状況の中、初級用から上級用まで一式、携帯できるようにして、場所を選ばず、すぐにゲームができるのではないかと思い、普及兼用バック型として、考案することができました。
【請求項２】
碁石の色は、黒、白石として、裏はゾンビになっていて灰色にしました。ゲームとしてのゾンビは、黒、白石に挟まれて復活したり、ゾンビになったりして変化します。その正体の変化するゲームを、「ゾンビ（復活）ゲーム」としてネーミングしました。
【請求項３】
碁盤の種類は上級から初級まで幅があります。上級用の１３×１３＝１６９手は、手数が多く、複雑な戦いと、時間も多くなり２時間位かかると、思います。一番小さいのは、初級用の７×７＝４９手は、手数が少なく、短期決戦型の戦いになります。時間は３０分位になると思います。碁盤の選択、時間の制限は両者納得の上、戦かえれば良いと思います。
【発明の詳細な説明】
【技術分野】
【０００１】本発明は、ゾンビゲームの上級用１３、１１路盤、初級用９、７路盤とする。
ゾンビゲームの基本ルールは、単純明解にして奥の深いゲームです。
相手の石、ゾンビの石を挟み引っくり辺したり、相手の石に挟まれて、引っくり辺されたりする、変化のあるゲームになっています。
【背景技術】
【０００２】従来、路盤を使ったゲームは択山あります。囲碁、連珠、源平碁、将棋、チェス、オセロ等、歴史上の兵士の戦いは特に、地域的に通用するゲームが多い、世界的に通用するアナログ的ゲームは、非常に少ないように思われます。
【発明の概要】
【発明が解決しようとする課題】
【０００３】現在は、世界的に通用するアナログ的ゲームは、段々と少なくなっています。特にオセロゲームが出た後は、ヒットゲームは出ていない、この問題を少し解決できるのではと思い、新アナログ的ゲームとして、ゾンビ（復活）ゲームを考案致しました。
【課題を解決するための手段】
【０００４】本発明は、囲碁及びオセロの器具を参考にして、加工すれば充分に、活用できるゲームの器具ができます。黒白の碁石で、相手の碁石を挟んだ場合は、引っくり辺してゾンビに、ゾンビを挟んだ場合は復活します。基本ルールは単純明解です。子供から年寄りまで、複雑な石を引っくり辺すことができます。碁石は低年齢の子供に、愛着や興味を持たせて、キャラクターを考案加工することもできます。
【発明の効果】
【０００５】ゾンビ（復活）ゲームの基本ルールは完成しましたが、現在も実戦を重ね、友人、催し物等の場を借りて実戦し、意見をまとめて少しづつ、確実なものとしています。実戦の中で碁石が何度も引っくり辺り、勝負の計算は困難です。特に最終盤まで手を拔くことができない、不思議なゾンビゲームです。多分、国境のない世界に広がっていく、ゾンビゲームになると思います。
【図面の簡単な説明】
【０００６】
【図１】本発明の碁石  黒、白、裏は灰色（ゾンビ）  （ａ）平面図  （ｂ）Ａ−Ａ断面図
【図２】本発明の碁盤（携帯バック型）  （ａ）１３、１１路盤、平面図  （ｂ）９、７路盤、平面図
【図３】本発明の碁盤、斜視図、
【図４】本発明の碁盤、Ｂ−Ｂ断面詳細図
【発明を実施するための形態】
【０００７】本発明のゾンビ（復活）ゲームの実施形態を説明する。
ゾンビ（復活）ゲームの基本ルール
１、大綱は競技者２名、黒、白石の黒石が先番として打ち始める。両者交互に打つ、石の打つ所は、線と線の交点に打つ。一担打ち終えた石は、他に移動することはできない。打った石は、その都度、両者で確認する。特に終盤近くに、石の変化が縦と横と斜に激変が起こります。その為にも、両者はよく見て確認してから、次の一手を打つこと。
２、布石の順序として、１３、１１路盤は星から天元まで自由に打つ、以後相手の石の廻りに自由に打つこと。９、７路盤は中央の天元から打ち始めること。
終盤になると打禁じ手があって打てない場合があれば、相手に自分が打てる所まで手番を渡すことになります。
３、打つ所は相手（黒石又は白石）の廻りに、縦と横と斜に直にくっついて打つ、相手の打った直後の石を挟んで、引っくり辺すことはできない。
４、相手（全てのゾンビも同じ）の石を、自分の石で挟んだ場合は、全てひっくり辺すこと。その時、ゾンビ復活が起きます。
５、盤面に打つ所が無くなった場合、両者確認の上終了となります。勝敗は盤面上の生きている石を数えて、先番のハンデ（１目半）を差引き、多い方が勝者になります。ゾンビは数値として０になります。
【符号の説明】
【０００８】  １  黒石、裏はゾンビ（灰色）９０＋４５コ（上級用＋初級用）
２  白石、    〃    （〃）  ８９＋４４コ（      〃      ）
３  １３、１１  路盤、化粧合板加工
４  ９、７      路盤、    〃
５  碁荀収納
６  備品収納
７  バッグの留金、
８  路線
９  天元
１０  星
【図１】
2012125533.tif 000003
【図２】
2012125533.tif 000004
【図３】
2012125533.tif 000005
【図４】
2012125533.tif 000006
(57)【要約】【課題】  ゆで卵の殻を、手で剥く場合に比べて速くきれいに剥くことが出来、かつ、誰にでも容易に扱えて安価に作れる、ゆで卵殻剥き具を提供する。【解決手段】  本発明のゆで卵殻剥き具の先端は、卵白に傷付け難い球形状で、卵白と卵殻膜の間に差し込むと、卵白は押し下げられて必然的に卵殻膜及び殻と分離します。最初に、ゆで卵の殻全体に罅を入れ、少しだけ手で剥きます。そして、卵白と卵殻膜の間に、ゆで卵殻剥き具の先端を差し込み、殻に沿って少しづつ前後左右になぞるように動かします。それによって卵白と分離した箇所の殻を取り除き、取り除くことで新たに生じた殻の端から同様の行為を繰り返して剥いていきます。卵殻膜は通称薄皮のことです。【選択図】図１
2012125532.tif 000002
【特許請求の範囲】
【請求項１】
先端が球形状若しくは楕円体形状で、これに棒状の軸（２）が接続されていて、これらを有するゆで卵殻剥き具。
【請求項２】
球形部（１）と軸（２）がなだらかに接続されている請求項１記載のゆで卵殻剥き具。
【発明の詳細な説明】
【技術分野】
【０００１】  本発明は、ゆで卵の殻を速くきれいに剥く為の、ゆで卵殻剥き具に関するものである。
【背景技術】
【０００２】  従来、ゆで卵の殻を剥く為の有効な器具は無く、手で剥いていた。
【発明の概要】
【発明が解決しようとする課題】
【０００３】  ゆで卵の殻を手で剥い場合、殻に卵白が付着してしまうことがよくあり、これをきれいに剥く為には時間を掛けて丁寧に剥くしかなかった。殻に卵白が付着してきれいに剥けないと、見た目が悪く、食べた時の食感も悪くなり、場合によっては捨てることさえある。手で剥く場合に比べて速くきれいに剥くことが出来、かつ、誰にでも容易に扱えて安価に作れる、ゆで卵殻剥き具を提供する。
【課題を解決するための手段】
【０００４】  本発明のゆで卵殻剥き具は、ゆで卵の卵白の弾力と、容易に割ることが可能であるがしかし殻の内側に沿ってなぞる程度なら割れない、殻の固さの特徴を利用したものである。ゆで卵殻剥き具の先端は卵白に傷付け難い球形状で、卵白と卵殻膜の間に差し込むと、卵白は押し下げられて必然的に卵殻膜及び殻と分離します。卵殻膜は通称薄皮のことです。【０００５】  最初に、ゆで卵の殻全体に罅を入れ、少しだけ手で剥きます。そして、卵白と卵殻膜の間に、ゆで卵殻剥き具の先端を差し込み、殻に沿って少しづつ前後左右になぞるように動かします。それによって卵白と分離した箇所の殻を取り除き、取り除くことで新たに生じた殻の端から同様の行為を繰り返して剥いていきます。
【発明の効果】
【０００６】  本発明のゆで卵殻剥き具は、卵白と卵殻膜の間に差し込むと、後は殻に沿ってなぞるだけで連鎖的に分離出来るので、手で剥く場合に比べて速くきれいに剥くことが出来ます。また、非常に簡単な構成なので安価に作れ、鋭い箇所が無いので誰でも安全に扱えます。【０００７】  ゆで卵の殻の約半分にだけ罅を入れ図５のような形に剥いた上で、残りの殻に沿って２周程度上手になぞると、残りの卵白と殻を一気に分離することが出来ます。罅が入っていない殻が大きく剥けるのは、爽快感があります。これは、見た目の形状からだけでは分かり難い、使い方と相まって得られる効果であり、本発明のゆで卵殻剥き具の特徴です。【０００８】  図３のように球形部と軸をなだらかに接続すると、卵白と卵殻膜の間に差し込んだ先端を引き戻す際に、より卵白に傷付け難くなります。
【図面の簡単な説明】
【０００９】
【図１】  本発明の柄が棒状の例の正面図である。
【図２】  本発明の柄がドーナツ形の例の斜視図である。
【図３】  本発明の球形部と軸をなだらかに接続した例の拡大図である。
【図４】  本発明の使用状態の断面図である。
【図５】  剥きかけのゆで卵の上面図である。
【発明を実施するための形態】
【実施例１】
【００１０】  球形部（１）と軸（２）が一体となったものを、金属を成型してまたは削って作り、それに合成樹脂等で作った柄（３）を取り付ける。普通サイズの鶏卵で実験した結果、素材がステンレスの場合で、球形部（１）は直径約３ｍｍ、軸（２）は直径約２ｍｍが、殻が剥け易くかつ卵白に傷付け難くかった。但し、この数値は目安であって、球形部（１）及び軸（２）の直径を限定するものではありません。
【実施例２】
【００１１】  柄（３）を含めた全体を、金属または合成樹脂で成型する。
【符号の説明】
【００１２】１  球形部
２  軸
３  柄
４  ゆで卵の殻
５  ゆで卵の卵殻膜
６  ゆで卵の卵白
【図１】
2012125532.tif 000003
【図２】
2012125532.tif 000004
【図３】
2012125532.tif 000005
【図４】
2012125532.tif 000006
【図５】
2012125532.tif 000007
(57)【要約】      （修正有）【課題】背筋を伸ばすために、棒を背中に抱えたりしている時に、万が一バランスを崩し転倒しても、本体が割れたり折れたりする事によって、人体を傷つけてしまう恐れがなく安全であり、且つ手軽に背筋を伸ばすことができる道具を、提供する。【解決手段】破損時の人体への影響を少なくすることができる、外径寸法２０ｍｍから２６ｍｍ、厚み１．５ｍｍから２．５ｍｍ、長さ５５０ｍｍから７００ｍｍの軽くて丈夫な紙管である構成とする。【選択図】図１
2012125531.tif 000002
【特許請求の範囲】
【請求項１】
外径寸法２０ｍｍから２６ｍｍ、厚み１．５ｍｍから２．５ｍｍ、長さ５５０ｍｍから７００ｍｍの紙管
【発明の詳細な説明】
【技術分野】
【０００１】本発明は、安全かつ手軽に背筋を伸ばすための道具に関する。
【発明の概要】
手軽に背筋を伸ばす道具として、軽くて丈夫な紙管が適していると考えた。
【発明が解決しようとする課題】
背筋を伸ばすために棒を背中に抱えたりするが、万が一バランスを崩し転倒した時に木製やプラスチックでは、本体が割れたり折れたりすると人体を傷つけてしまう恐れがある。
【課題を解決するための手段】
本体を木製やプラスチックではなく紙管にする。
【発明の効果】
本体を紙管にすることによって、本体が割れたり折れたりしても人体を傷つけることが少なくなり、より安全で使い易くなる。
【図面の簡単な説明】
【図１】本体のサイズ及び使用方法の図である。
【図１】
2012125531.tif 000003
(57)【要約】【課題】パラソル型洗濯干しは、中心のフック一本で洗濯物を干すため、重心がぶれやすく、傾いてしまいやすいという不便さがあった。【解決手段】この考案は、対角線上対となるアームを同色にすることでバランスをとりながら洗濯物を干す際にひと目で確認でき、干しやすくしたパラソル型洗濯ハンガーである。【選択図】図１
2012125529.tif 000002
【特許請求の範囲】
【請求項１】
対角線上のアームを色分けしたパラソル型洗濯ハンガー。
【請求項２】
前記ハンガーは、対角線の対の色が同色なため、バランス良く干すことを用意にしたパラソル型のハンガー。
【発明の詳細な説明】
【技術分野】
【０００１】  この発明は、パラソル型ハンガーのアーム部の色に関するもの。
【背景技術】
【０００２】  パラソル型ハンガーは単色かデザイン上の色彩が施されているものが一般的である。
【発明の開示】
【発明が解決しようとする課題】
【０００３】  パラソル型ハンガーは干すためにかける洗濯物の重量で片側に偏ったりしやすいという不便さがあった。
そこでこの発明は、同じような洗濯物を対角線ごとにバランスよくかけることを課題とする。
【課題を解決するための手段】
【０００４】  以上の課題を解決するために、この発明は対角線上のアームを同色にすることで反対側のアームがどれか識別しやすくなり、バランスよく洗濯物を干すことを容易にする洗濯ハンガーである。
【発明の効果】
【０００５】  この発明によれば、対角線上のアームに同じ重さの洗濯物をかけることができるので、バランスよい洗濯干しが容易となる。
【発明を実施するための最良の形態】
【０００６】  この発明の一実施形態を、図１に示す。
２０本アームの場合、５色の色分けで対角線上一対のアームがひと目で確認できるようになる。【０００７】「実施形態の効果」
この実施形態によれば、対角線のアームがわかりやすいので、同じ洗濯物や対の洗濯物等をバランスを保ちながら干すことが簡単にできるようになる。
【図面の簡単な説明】
【０００８】
【図１】この発明の実施形態を示す仕様図である。
【図２】この発明の斜視図である。
【図１】
2012125529.tif 000003
【図２】
2012125529.tif 000004